(57)【要約】【課題】装置間の接続を無線とした上で、ユーザーが特別の配慮を必要としない手術システムの制御方法を提供する事を目的とする。【解決手段】複数の被制御機器と、複数の被制御機器を集中制御するためのシステムコントローラとの間で無線通信可能な手術システムの通信制御方法において、システムコントローラで使用されていない空き識別情報を確認する空き識別情報確認ステップと、空き識別情報がある場合に、システムコントローラから空き識別情報を送信する空き識別情報送信ステップと、被制御機器にて前記空き識別情報を受信するとともに、空き識別情報の占有要求を返信する占有要求返信ステップと、占有要求返信ステップで返信された占有要求に基づいて、システムコントローラにて空き識別情報を割り付ける割り付けステップとを具備する。【選択図】　　　図２
2004113805.tif 000002
【特許請求の範囲】
【請求項１】
複数の被制御機器と、該複数の被制御機器を集中制御するためのシステムコントローラとの間で無線通信可能な手術システムの通信制御方法において、
　前記システムコントローラで使用されていない空き識別情報を確認する空き識別情報確認ステップと、
　前記空き識別情報がある場合に、前記システムコントローラから前記空き識別情報を送信する空き識別情報送信ステップと、
　前記被制御機器にて前記空き識別情報を受信するとともに、前記空き識別情報の占有要求を返信する占有要求返信ステップと、
　前記占有要求返信ステップで返信された占有要求に基づいて、前記システムコントローラにて前記空き識別情報を割り付ける割り付けステップと、
　を具備したことを特徴とする手術システムの制御方法。
【発明の詳細な説明】
【技術分野】
【０００１】
　本発明は手術システムの制御方法に関するものである。
【背景技術】
【０００２】
　複数の医療機器とこれら医療機器を一括制御する集中制御装置とを備えた手術システムの１つとして内視鏡手術システムがある。一般的な内視鏡手術システムは、観察を行う為の内視鏡、この内視鏡に接続されるカメラヘッド、前記内視鏡を通じて観察部位へ照明光を供給する光源装置、前記カメラヘッドで撮影した画像信号を処理する内視鏡カメラ装置、この内視鏡カメラ装置で処理された観察部位の被写体映像を表示するモニタ、腹腔内を膨張させる為の気腹装置、手術装置であり生体組織を切除或いは凝固する為のエネルギーを供給する高周波焼灼装置（以下、電気メス）、手技を進行すると共に電気メスからのエネルギーを処置部位に印加する処置具等複数の医療機器で構成されている。
【０００３】
　ここで内視鏡手術システムを用いて観察或いは治療を行う場合の手順を簡単に説明する。まず、気腹装置により腹腔内を膨張させた後、内視鏡を被検部位へ挿入すると共に光源装置から照明光を出射させて被検部位の光学像を得る。ここで得られた光学像はカメラヘッドにより電気信号に変換され内視鏡カメラ装置にて映像信号として処理される。この映像信号をモニタで確認しながら、処置具による手技を進行する事で、術者は被検部位の観察或いは処置を行う事が出来る。このように、観察或いは処置を行う為には、複数の医療機器を併行して使用する事が必要となる。
【０００４】
　一方、手術室において術者は清潔域で手術を行うが、内視鏡システムを構成する医療機器の多くは清潔域外の不潔域に配設されている為、医療機器の操作は術者の指示により第３者（機器の操作者）が行い、術者が直接手を触れる事はない。また、各医用機器の機能は個々に独立しており、個別の操作、制御が必要となる。よって操作者は術者の要求に答える為に熟練を要求されると共に常に煩雑な作業を必要とされていた。
【０００５】
　この為、特開平６−１１４０６５号公報には、複数の手術装置のシステム化を容易にし、操作性の向上を図る目的で、各医療装置本体に双方向通信可能な通信ポートを備えると共に、認識番号（ＩＤ）を個別に有する複数の手術用機器と、この手術用機器の通信ポートに接続され、この各手術用機器を目的に応じて集中制御可能な制御手段を備えた手術装置制御システムが開示されている。このシステムでは、カートに搭載した集中制御装置や手術用ベッドに取付けられたＤｒ用リモコンで各機器の制御を行っていた。
【０００６】
　また、特開平７−３０３６５４号公報においては、複数の装置を容易に操作、制御し、システムとしての操作性を向上させるため、被制御装置の機能を表示する手段と、被制御装置を操作する手段を設けたシステム制御装置が開示されている。
【発明の開示】
【発明が解決しようとする課題】
【０００７】
　しかしながら、上記した従来の内視鏡手術システムにおいては、術者が清潔域で使用するカメラヘッドや処置具等には各種伝達用のケーブルが接続されている為、術者の移動範囲等に制約を加えてしまうと共に、使用する機器が増える程、ケーブル等で清潔域が煩雑になってしまうという問題点があった。
【０００８】
　この問題を解決する為、それぞれの医療機器を無線により接続する事が考えられるが、各機器を特定する為には其々の機器に個別のＩＤを事前に設定しておく必要があり、事前の準備を煩雑なものとする要因となりうる。また、製品自体にＩＤを振り分けておく事も考えられるが、事実上個別ＩＤの割り当ては有限であり、使用者はＩＤが重複しない組み合わせを考慮して使用機器を準備する必要があった。
【０００９】
　本発明は上記事情に着目してなされたものであり、装置間を無線により接続した場合であっても、ユーザーの特別の配慮を必要としない手術システムの制御方法を提供することにある。
【課題を解決するための手段】
【００１０】
　上記の目的を達成するために、本発明は、複数の被制御機器と、該複数の被制御機器を集中制御するためのシステムコントローラとの間で無線通信可能な手術システムの通信制御方法において、前記システムコントローラで使用されていない空き識別情報を確認する空き識別情報確認ステップと、前記空き識別情報がある場合に、前記システムコントローラから前記空き識別情報を送信する空き識別情報送信ステップと、前記被制御機器にて前記空き識別情報を受信するとともに、前記空き識別情報の占有要求を返信する占有要求返信ステップと、前記占有要求返信ステップで返信された占有要求に基づいて、前記システムコントローラにて前記空き識別情報を割り付ける割り付けステップとを具備する。
【発明の効果】
【００１１】
　本発明によれば、装置間を無線により接続した場合であっても、ユーザーの特別の配慮を必要としない手術システムの制御方法が提供される。
【発明を実施するための最良の形態】
【００１２】
　以下、図面を参照して本発明の実施形態を詳細に説明する。
【００１３】
（第１実施形態）
　図１は、本発明が適用される内視鏡下外科手術装置の全体構成を示す図である。図１は特に、腹腔内２の様子を観察するためのスコープ３と、腹腔内２で処置を行うための処置具５とを用いて、患者１の腹腔内２における処置を行うための構成を示している。
【００１４】
　スコープ３には画像情報を取り込むためのカメラヘッド４が接続されており、カメラヘッド４はケーブル１０により画像処理装置６に接続されている。画像処理装置６にて処理された情報は、ケーブル１６により接続されたモニター１５に表示される。さらにスコープ３にはケーブル１２を介して光源装置７が接続されている。
【００１５】
　また、画像処理装置６はケーブル１３により処置具情報読み取り装置８に接続されている。処置具情報読み取り装置８はケーブル１４により、高周波発振器や超音波発振器で構成される発振器９に接続されている。発振器９にて発生したエネルギーはケーブル１１を介して処置具５に供給される。
【００１６】
　ここで、処置具情報読み取り装置８は、回路を構成することにより画像処理装置６や発振器９の内部に設けることも可能である。さらに発振器９には術者が凝固あるいは切開モードを設定するためのフットスイッチ１９が接続されている。
【００１７】
　図２は、図１で説明した手術装置を複数設置してコントローラと通信を行いながら手術を行う第１実施形態に係る手術システムの概念図である。中央制御装置としてのシステムコントローラ１０１と相対して、被制御装置となる各手術装置１０２−Ｎ（Ｎ＝１，２，３，…ｎの任意の数）が存在し、図３に示すように各手術装置１０２−Ｎの内部には機器本来の機能を実現するための主制御部１０２Ａ、通信の制御を行う通信制御部１０２Ｂ、データ等の信号を送受信する信号送受信部１０２Ｃとが設けられている。さらに手術装置１０２−Ｎの外部には外部とデータを送受信するための送受信手段１０２Ｄが設けられている。上記手術装置１０２ーＮとしては例えば、内視鏡カメラ装置、内視鏡用光源、スコープホルダー、電気メス等の機能を保有する機器が挙げられる。
【００１８】
　システムコントローラ１０１は各手術装置１０２−Ｎを個別のＩＤ番号で管理し、集中的に遠隔制御を行う。すなわち、清潔域にいる術者の指示をシステムコントローラ１０１で取りまとめ、例えば手術装置１０２−Ｎのモードの変更や手術装置の設定と同期させて他の装置の設定を変更したり、スコープによって得られた画像データを映像信号として再処理したり、複数の機器の制御を並行して処理することが可能である。
【００１９】
　以下に図４のフローチャートを参照して上記構成による手術装置制御システムの作用を説明する。被制御装置としての各手術装置１０２−Ｎは当初は通信に必要なＩＤ番号を所持していない。ここでシステムコントローラ１０１は上記ＩＤ番号を発行する役割を持ち、使用されていないＩＤ番号（空きＩＤ）があることを確認して（ステップＳ１）、ある場合には空きＩＤの情報をＩＤ情報専用の規定周波数にて各手術装置１０２−Ｎに向けて常時送信する（ステップＳ２）。各手術装置１０２−Ｎはこの空きＩＤ情報を受信した際に、自らの制御用ＩＤとして利用するために占有情報をシステムコントローラ１０１に返信するとともに、制御用ＩＤ番号に割り当てられた周波数帯でシステムコントローラ１０１と送受信を行うように動作を決定する。
【００２０】
　システムコントローラ１０１は上記占有情報を受けたならば（ステップＳ５）、ＩＤを確保するとともに（ステップＳ６）、空きＩＤの情報を更新（ステップＳ３）するとともに、占有されたＩＤに割り当てられた周波数帯においてデータの送受信を行う。この繰り返しにより、システムコントローラ１０１と各手術装置１０２−ＮはＩＤごとに規定された各周波数帯において信号情報のやり取りを行うことが可能となる。
【００２１】
　図５は、本発明の第１実施形態を内視鏡下で外科手術を行うための内視鏡下外科手術システムに適用したときの全体的な概略構成を示す図である。このシステムにおいては、使用する手術装置が多岐に渡ることが多く、手術装置を複数に分けて配置し、集中制御により操作を行うことが多い。
【００２２】
　図５に示す内視鏡外科手術システム２０１において、患者が横たわる手術用ベッド２０９の両側に配置した第１カート２１０及び第２カート２２０に複数の被制御装置である内視鏡周辺装置が搭載されている。
【００２３】
　すなわち、前記第１カート２１０には内視鏡カメラ装置２１１，２１２、光源装置２１３，２１４、画像処理装置２１５、ＶＴＲ２１６、第１モニタ２０１、システムコントローラ２１７、集中表示パネル２０３が搭載されている。それぞれの機器は無線により双方向の通信及び制御を行える通信手段を持っている。なお、光源装置２１３，２１４は光学視管２０４，２０５にそれぞれ接続されている。
【００２４】
　一方、第２カート２２０には電気メス２２１、気腹装置２２２、システムコントローラ２２３が搭載されている。気腹装置２２２にはＣＯ２ボンベ２２４が接続され、気腹装置２２２から患者に延びた気腹チューブ２２５により患者２５０の腹腔内にＣＯ２ガスが供給されるようになっている。２０２は第２モニタ、２０６は集中操作パネルである。
【００２５】
　また、滅菌領域にある前記手術用ベッド２０９には、術者が使用する集中操作手段である術者用遠隔操作装置の操作部２３１が着脱自在に設けられている。これは、前記第１カート２１０及び第２カート２２０に搭載されているそれぞれの内視鏡周辺装置の設定や操作を、滅菌領域にいながらにして術者自身が行うためのものである。
【００２６】
　前記した集中操作パネル２０６は、液晶ディスプレイ等の表示部と、この表示部の上に一体的に設けられたタッチセンサとにより構成され、各装置の状態表示や操作スイッチ等を設定画面として表示する表示機能とともに、タッチセンサの所定領域を触れることで操作スイッチによる操作を行える操作機能を有しており、システムコントローラ２１７と無線にて双方向の通信を行えるようになっている。
【００２７】
　集中操作パネル２０６を操作したときに、その情報は無線にてシステムコントローラ２１７に一旦送られ、その後、該当する内視鏡周辺装置に伝えられ、各内視鏡周辺装置の操作を直接行うのと同等の操作を行うことができるようになっている。このことにより、術者用遠隔装置の操作部２３１と集中操作パネル２０６とによって、各内視鏡周辺装置の動作を制御することができる。
【００２８】
　また、システムコントローラ２２３は通常システムコントローラ２１０の補助として動作し、各機器を制御するための通信量が多くなった際にはシステムコントローラ２１０の指示に従い、制御を分担することでその負担を軽減させることが可能である。さらに、システムコントローラをカート毎に搭載することで、手術環境に応じてカートの構成を最小限とし、単独動作させる場合にも問題なく制御を行うことができる。
【００２９】
　上記した第１実施形態によれば、使用機器のＩＤは集中制御装置の空きＩＤを動的に割り当てる事で決定されるようにしたので、それぞれの機器を誤ることなく認識できると共に、集中制御を含めユーザーは使用機器に対して特別の配慮を必要としない上、清潔域のケーブル接続による煩雑さを解消できるという効果を奏する。
【００３０】
　また、第１実施形態によれば、各手術装置を集中して使用する際に従来必要となっていた各手術装置間の接続が不要になるのみならず、内視鏡カメラ装置と光学視管を結ぶケーブルが不用となる等、特に清潔域を相対的に広く使用できるために、作業性が大幅に向上し、手術環境が良好になる。さらに、各機器は無線により接続されているために、操作部位置や集中表示パネルの位置等も図示した位置に限定されることはなく所望の位置に設置することが可能である。
【００３１】
（第２実施形態）
　図６は本発明の第２実施形態に係る内視鏡外科手術システムの構成を示す図、図７は患者体腔内に挿入されている手術器具の状態を示す図、図８は各装置の接続のようすを示す図である。
【００３２】
　図６において、３０１は手術台、３０２は手術台上に寝かされている患者である。３０３は、前記手術台３０１に設置され、患者に刺入されたトロッカー３１８を介して患者３０２の体腔内に挿入された内視鏡３０４を保持するスコープホルダーである。３０５はＴＶカメラで、前記内視鏡３０４により取り込まれた患者３０２の体腔内の観察像を撮像するように内視鏡３０４に接続されている。
【００３３】
　３０７は例えば高周波焼灼装置などの処置具で、トロッカー３０６を介して患者３０２の体腔内に挿入されている。３０８、３０９はそれぞれ処置具であり、前記処置具３０７とはそれぞれ異なる作用により処置を実施できる、例えば超音波切開装置や医用レーザー装置などの処置具であり、必要に応じて処置具３０７と交換して使用される。
【００３４】
　３１１、３１２、３１３は処置具装置でそれぞれ処置具３０７、処置具３０８、処置具３０９の出力の設定等を実施するための装置でそれぞれの処置具とケーブルにより接続されている。３１４は前記トロッカー３０６からの信号により、前記トロッカー３０６に挿入された処置具の種類を判別する判別装置でトロッカー３０６とケーブルにより接続されている。３１７は処置具の動作を操作するための入力スイッチとしてのフットスイッチで判別装置３１４に接続されている。
【００３５】
　３１５はＴＶカメラコントローラで、前記ＴＶカメラ３０５がケーブルにより接続されている。３１６は光源装置で、前記内視鏡３０４とライトガイドで接続されており、内視鏡３０４による観察に必要な照明光を供給している。３１９はＴＶモニタであり、前記ＴＶカメラ３０５で撮像された内視鏡３０４の観察像がＴＶカメラコントローラ３１５を介してこのＴＶモニタ３１９に表示される。
【００３６】
　３１０はカートで、３１１〜３１３の処置装置、判別装置３１４、ＴＶカメラコントローラ３１５、光源装置３１６、ＴＶモニタ３１９を積載した状態で病院内を移動できるように構成された台車である。
【００３７】
　ここで、患者３０２の体腔内の様子を示す図７を用いて処置具３０７、トロッカー３０６の構成についてさらに説明を加える。
【００３８】
　処置具３０７の挿入部３２０には、例えばある特定周波数の信号を発生する信号発信部３２１が設けられており、処置具装置３１１からケーブル３２２を通じて送られてくる信号を発信している。信号発信部３２１から発信される信号は処置具の種類により異なる。
【００３９】
　一方トロッカー３０６には前記信号発信部３２１から発信された信号を受信する信号受信部３２３が設けられている。トロッカー３０６にはケーブル３２４が接続されており、信号受信部３２３で受信した信号はケーブル３２４により判別装置３１４に伝達されるように構成されている。
【００４０】
　次に図８に示したブロック図を参照して、各装置の接続について説明する。
【００４１】
　信号受信部３２３で受信した処置具からの信号が判別装置３１４に伝達されるように、信号受信部３２３は判別装置３１４に接続されている。前記フットスイッチ３１７が接続されている判別装置３１４には、処置具装置３１１、３１２、３１３がそれぞれ接続されている。判別装置３１４は、伝達された信号に基づきトロッカー３０６に挿入された処置具の種類を判別し、判別された処置具に該当する３１１〜３１３のいずれかの処置具装置に前記フットスイッチ３１７を接続するように構成されている。
【００４２】
　以下に上記した構成の作用を説明する。術者はＴＶモニタ３１９に表示された内視鏡３０４を介してＴＶカメラ３０５により撮像された患者３０２の体腔内を観察しながら手術を実施する。
【００４３】
　図６、図７に示す状態では処置具３０７の信号発信部３２１から発信されている信号を、信号受信部３２３が受信し、受信された信号は判別装置３１４に伝達される。判別装置３１４は、伝達された信号に従ってトロッカー３０６に挿入されている処置具の種類を判別し、さらに判別した信号に従って判別装置３１４に接続されているフットスイッチ３１７が、該当する処置具装置３１１を操作可能なように、判別装置３１４内でフットスイッチ３１７を処置具装置３１１に接続した状態になる。術者が処置具３０７を使う必要が発生し、フットスイッチ３１７を操作するとトロッカー３０６に挿入されている処置具３０７が動作を開始する。
【００４４】
　ここで、処置具３０７による処置が終了し術者がトロッカー３０６から処置具３０７を抜去した場合の作用を説明する。トロッカー３０６から処置具が抜去された状態では、処置具３０７からの信号が受信されないので判別装置３１４内において、フットスイッチ３１７はいかなる処置装置にも接続されていない状態である。つまりトロッカー３０６から処置具を抜去した状態では、フットスイッチ３１７を操作しても全ての処置具は動作をしない状態である。
【００４５】
　次に処置具３０８による処置が必要になった場合、術者は処置具３０８をトロッカー３０６に挿入する。すると処置具３０８に設けられている信号発信部３２１からの信号が信号受信部３２３により受信される。ここで、処置具３０８の信号発信部３２１から発信される信号は前記処置具３０７の信号発信部３２１から発信されていた信号とは周波数が異なる信号である。
【００４６】
　信号受信部３２３で受信された信号に基づいて判別装置３１４は、前述の処置具３０７の場合と同様にフットスイッチ３１７が該当する処置具装置３１２を操作可能なように判別装置３１４内でフットスイッチ３１７を処置具装置３１２に接続した状態になる。術者が処置具３０８を動作すべくフットスイッチ３１７を操作するとトロッカー３０６に挿入されている処置具３０８が動作を開始する。処置を処置具３０９に変更した場合の作用も同様である。
【００４７】
　上記した第２実施形態によれば、処置具の種類を判別するための信号の送受信をトロッカー内で実施するので、処置中の出血などにより信号発信部が汚されることがなく、また患者の臓器などで信号発信部が覆われてしまうことがないために処置具の判別を確実に行える。
【００４８】
　なお、本実施形態においては、信号発信部３２１から発信される信号は処置具毎に周波数が異なるとしたが、各処置具で同一周波数の信号を発信していても、発信パターンを処置具毎に特定しておけば同一の効果が得られる。また、周波数をもった信号でなくても例えば、処置具毎に温度が異なる発熱体とトロッカーに温度感知部を設ける方法や、処置具のトロッカーへの挿入部形状を検知する方法等、トロッカー内で信号の送受信により処置具の種類を判別できる方法であれば本実施形態と同一の効果が得られることは言うまでもない。
【００４９】
（第２実施形態の変形例）
　図９、図１０、図１１を用いて第２実施形態の変形例について説明する。なお、上記した第２実施形態と同一の構成については同一番号を付与し説明を省略する。
【００５０】
　図９において３３０はトロッカー、３３１、３３２、３３３はそれぞれ異なる処置に使用される処置具であり、それぞれ処置具装置３３４、３３５、３３６に接続されている。第３実施形態で述べたカート３１０には、前記処置具装置３３４、３３５、３３６とスイッチ割り付け装置３３７、ＴＶカメラコントローラ３１５、光源装置３１６、ＴＶモニタ３１９が積載されている。
【００５１】
　次に図１０を用いて患者３０２の体腔内に挿入された処置具３３１とトロッカー３３０の構成について説明する。トロッカー３３０には処置具３３１を挿脱自在なような円形の穴である処置具挿入穴３３９が設けられている。この処置具挿入穴３３９には、前記処置具挿入穴３３９よりも小さい内径であるが、処置具の挿脱には支障をきたさない大きさの円形の穴を有する第１細径部３４０、第２細径部３４１が形成されている。ここで、第１細径部３４０と第２細径部３４１の間の距離は図示の如くＬとなるように形成されている。
【００５２】
　処置具３３１の挿入部３４５には、スイッチ３３８が設けられている。このスイッチ３３８は前記挿入部３４５の軸心方向に押圧されている状態がコード３４２を通して処置具装置３３４に伝達されると、処置具装置３３４から信号を発信する。またスイッチ３３８の押圧状態が解除されると処置具装置３３４からの信号発信が停止するように構成されている。
【００５３】
　ここでは処置具３３１を例に説明をしたが、他の処置具３３２、３３３や処置具装置３３５、３３６についても全く同一の構成である。
【００５４】
　次に図１１を用いて各処置具３３１、３３２、３３３と各処置具装置３３４、３３５、３３６とスイッチ割り付け装置３３７の構成について説明する。
【００５５】
　処置具３３１、３３２、３３３がそれぞれ接続されている処置具装置３３４、３３５、３３６はそれぞれスイッチ割り付け装置３３７内の処置具判別部３４３に接続されており、前記処置具判別部３４３は処置具装置３３４、３３５、３３６のいずれかの処置具装置からの信号が予め設定されている時間内に続けて２回入力されると、信号を入力した処置具装置にフットスイッチ３１７を接続するように、スイッチ割り付け装置３３７内のスイッチ切換部３４４に信号を出すように構成されている。
【００５６】
　ここで、予め設定される時間と第１細径部３４０と第２細径部３４１の間の距離Ｌは、トロッカー３３０に処置具３３１の挿入部３４５を挿入する速さを想定して設定されている。また、スイッチ切換部３４４は前記処置具判別部３４３からの信号に従って前記フットスイッチ３１７を該当する処置具装置に接続するように構成されている。
【００５７】
　以下に上記した構成の作用を説明する。図９に示した手術システムを使用し、術者が処置を実行すべく処置具３３１の挿入部３４５をトロッカー３３０の処置具挿入穴３３９に挿入していく。すると、スイッチ３３８がトロッカー３３０に形成されている第１細径部３４０により押圧されることで処置具装置３３４から処置具判別部３４３に信号を発信し、第１細径部３４０を通過するとスイッチ３３８の押圧が解除され信号発信も終了する。さらに挿入動作を続けるとスイッチ３３８が第２細径部３４１により前述と同様に押圧され再度信号が発信され、第２細径部３４１を通過すると信号発信が終了する。
【００５８】
　つまり、処置具３３１をトロッカー３３０の処置具挿入穴３３９に挿入する速さと第１細径部３４０と第２細径部３４１の間の距離Ｌによって決定される間隔で、処置具装置３３４から処置具判別部３４３へ信号が２回発信されたことになる。ここで、処置具判別部３４３へ発信された２回の信号が予め設定されている時間内であったならば、処置具判別部３４３はスイッチ切換部３４４へフットスイッチ３１７を処置具装置３３４へ接続するように信号を発生し、フットスイッチ３１７が処置具装置３３４を操作可能なように接続される。術者が処置具３３１を動作させて処置を実行する場合は、フットスイッチ３１７を操作すればよい。
【００５９】
　ここで、処置具判別部３４３へ発信された２回の信号が予め設定されている時間内に入らない場合、例えばトロッカー３３０に処置具３３１の挿入部３４５を挿入した状態ではなく、処置具３３１を使用していない状況でスイッチ３３８が他の器具等と誤って干渉することでスイッチ３３８が２回連続で押圧された場合には、処置具判別部３４３からスイッチ切換部３４４に信号が発信されることが無い。これはフットスイッチ３１７がいかなる処置具装置にも接続されていない状態であるので、術者が誤ってフットスイッチ３１７を操作しても処置具が動作することはない。
【００６０】
　次に処置具３３１による処置が終了し、処置具３３２による処置が必要になった場合の作用について説明する。
【００６１】
　今まで使用していた処置具３３１をトロッカー３３０から抜去し、処置具３３２をトロッカー３３０に挿入する。この時前述の作用と同様にして処置具装置３３５からスイッチ割り付け装置３３７の処置具判別部３４３に信号が発信され、スイッチ切換部３４４によりフットスイッチ３１７が処置具装置３３５を操作可能なように接続される。
【００６２】
　なお、処置具３３３についても同様な作用なのでここでは説明を省略する。
【００６３】
　上記した変形例によれば、トロッカーには信号受信部やケーブルなどの複雑な構成が不要なので、トロッカーは安価で故障しにくい構成のまま処置具判別を実現できる。また、処置具に判別用信号発信のためのスイッチを設け処置具装置から信号を発信するように構成したので、処置具判別のために処置具の大型化、重量増をまねくことが無い。さらに、処置具をトロッカーに挿入した場合のみ処置具の操作が可能なので、処置具がトロッカーに挿入されていない状態で動作することはない。
【００６４】
　さらに上記した第２実施形態及びその変形例によれば、各種の処置具を使い分ける手術の場合でも、一つのフットスイッチで各種の処置具を操作可能なので、手術室の床を這うケーブルの数を減らすことができる。これにより手術前のセットアップや手術後の片付けの時間を短縮することができる。
【００６５】
　また、処置具を患者体腔内に挿入した時点で、操作用のフットスイッチが患者体腔内に挿入されている処置具のみを操作可能な状態になっているので、術者はただちに処置具操作を実行できるので手術時間を短縮することができる。
【００６６】
　さらに、患者体腔内を撮影しているＴＶカメラに処置具が撮像されていない状態でも、患者の体腔内に処置具を挿入するだけでフットスイッチを該当する処置具に割り当てることができるので、術者が処置具を撮像されるような位置に導く操作を実施する必要が無く、所望の観察を続けることができる。
【００６７】
（第３実施形態）
　図１４は本発明の第３実施形態に係るワイヤレス制御システムとしての内視鏡システムの構成を示す図である。図１５に示すように、図１４に示す集中制御部５００には、全体マネージメントプログラム５１０、内視鏡制御用プログラムＩＤ０（５１１）、画像記録機器用プログラムＩＤ２（５１２）、光源制御用プログラムＩＤ１（５１３）、電気メス用プログラムＩＤ３（５１４）、拡張用プログラム５１５、５１６が予め格納されている。
【００６８】
　この構成では中央制御コントローラとしての集中制御部５００を中心としてネットワークシステムが構築されていて、そのネットワーク内には、光源５０１、内視鏡５０２、記録装置５０３、電気メス５０４等の種々の周辺機器が組み込まれている。すなわち集中制御部５００はプログラマブルなユーザーＩ／Ｆを持ち、種々の周辺機器と光接続することで該周辺機器の一括管理を行うようになっている。
【００６９】
　例えば、内視鏡システムに新規の周辺機器（ここでは電気メス５０４）が加わる時の手順を以下に示す。
【００７０】
　１：電気メス５０４は、集中制御部５００に光通信のあらかじめ決められたプロトコルでネットワークに接続したい旨のコマンドを送り続ける。
【００７１】
　２：集中制御部５００はそれを受信すると、機器にＩＤを割り振りネットワークへの接続を許可し、その旨を電気メス５０４側に光通信で通知する。
【００７２】
　３：電気メス５０４側は、ＪＡＶＡ言語等で作成された自身の制御ソフトウェアを集中制御部５００に送信する。
【００７３】
　４：集中制御部５００は、電気メス５０４からのＪＡＶＡソフトをダウンロードし、集中制御部５００のユーザーインターフェイスに反映する。
【００７４】
　５：以後、そのＩＤ番号によって周辺機器を判別し、各周辺機器毎のＪＡＶＡソフトを使用する事で集中管理を行う。
【００７５】
　同様にネットワークから削除する時の手順を以下に示す。
【００７６】
　１：集中制御部５００は全てのＩＤ番号を割り付けた周辺機器の状態（ステータス）を周期的に検知する手段をもつ。
【００７７】
　２：例えば電気メス５０４をネットワークから外したい時には、ユーザーは電気メス５０４を光通信における光線の遮断される場所に機器を移動するか、電気メス５０４自身の電源を遮断するだけで良い。
【００７８】
　３：集中制御部５００が接続機器をポーリングする際に、電気メス５０４はその機器状態を返信してこない。
【００７９】
　４：光通信の場合、その光線間に人等の障害物等により遮断された際も通信が出来なくなるので故意にネットワークから外れたのか、障害物等によるものなのかを判断しなくてはならない。
【００８０】
　５：そこで、無通知の状態をポーリング毎にカウントし、特定時間が過ぎても通信が回復しない場合には故意にネットワークから機器が外されたものと判断する。
【００８１】
　６：集中制御部５００は、外された機器のアプリケーションソフトを外し（消去）、ユーザーインターフェイスに反映する。
【００８２】
　上記した第３実施形態によれば、システム内に新たな機器をする時や、システム内から特定の機器を削除する時などにおいてもシステムを一時ダウンする必要がなくなる。また、光通信でシステムを構築した場合、人が前を通る等のちょっとした光の遮断によりシステムがその機器を削除してしまう等、異常な動作を起こすのを防止できる。さらに、集中制御部５００は接続される可能性のある全ての制御プログラムを集中制御部内に持つ必要性がなくなる。
【００８３】
Ａ．上記した第１実施形態から以下のような構成の発明を抽出することが可能である。
【００８４】
１．生体組織の凝固や切開を行うためのエネルギー処置具において、
　エネルギー処置具の一部にバーコードラベルを貼付し、このバーコードラベルを画像処理装置に画像として入力することにより、前記エネルギー処置具に入力すべきエネルギーの条件を解読するようにしたことを特徴とするエネルギー処置具。
【００８５】
２．前記エネルギー処置具は、内視鏡下にて生体組織を凝固、切開することを特徴とする１．に記載のエネルギー処置具。
【００８６】
３．生体組織の凝固や切開を行うためのエネルギー処置具と、前記エネルギー処置具にエネルギーを供給するための発振器と、術中の映像を取り込み撮影システムとを具備する手術システムにおいて、
　前記エネルギー処置具の一部に取り付けられたバーコードラベルの情報を処理することにより、発振器の初期設定を行うようにしたことを特徴とする手術システム。
【００８７】
４．前記バーコードラベルが前記エネルギー処置具の挿入部の一部に取り付けられていることを特徴とする１．〜３．のいずれかに記載のエネルギー処置具あるいは手術システム。
【００８８】
５．前記エネルギーは高周波出力であることを特徴とする１．〜３．のいずれかに記載のエネルギー処置具あるいは手術システム。
【００８９】
６．前記エネルギーは超音波出力であることを特徴とする１．〜３．のいずれかに記載のエネルギー処置具あるいは手術システム。
【００９０】
７．前記バーコードラベルには、組み合わせ使用する発振器のモード、出力値、処置具の名称、仕様に関する情報が入力されていることを特徴とする１．〜３．のいずれかに記載のエネルギー処置具あるいは手術システム。
【００９１】
　上記した発明１〜７の「従来の技術」、「発明が解決しようとする課題」は上記した通りである。
【００９２】
Ｂ．上記した第２実施形態から以下のような構成の発明を抽出することが可能である。
【００９３】
８．複数の使用機器と、これらの使用機器を認識番号（ＩＤ）を用いて無線にて一括管理する集中制御装置とからなる手術システムにおいて、
　前記複数の使用機器の各々において使用される認識番号は、前記集中制御装置の空きＩＤ（未使用認識番号）に基づいて動的に割り当てられることを特徴とする手術システム。
【００９４】
　上記した発明８の「従来の技術」、「発明が解決しようとする課題」は以下の通りである。
【００９５】
「従来の技術」
　複数の医療機器とこれら医療機器を一括制御する集中制御装置とを備えた手術システムの１つとして内視鏡手術システムがある。一般的な内視鏡手術システムは、観察を行う為の内視鏡、この内視鏡に接続されるカメラヘッド、前記内視鏡を通じて観察部位へ照明光を供給する光源装置、前記カメラヘッドで撮影した画像信号を処理する内視鏡カメラ装置、この内視鏡カメラ装置で処理された観察部位の被写体映像を表示するモニタ、腹腔内を膨張させる為の気腹装置、手術装置であり生体組織を切除或いは凝固する為のエネルギーを供給する高周波焼灼装置（以下、電気メス）、手技を進行すると共に電気メスからのエネルギーを処置部位に印加する処置具等複数の医療機器で構成されている。
【００９６】
　ここで内視鏡手術システムを用いて観察或いは治療を行う場合の手順を簡単に説明する。まず、気腹装置により腹腔内を膨張させた後、内視鏡を被検部位へ挿入すると共に光源装置から照明光を出射させて被検部位の光学像を得る。ここで得られた光学像はカメラヘッドにより電気信号に変換され内視鏡カメラ装置にて映像信号として処理される。この映像信号をモニタで確認しながら、処置具による手技を進行する事で、術者は被検部位の観察或いは処置を行う事が出来る。このように、観察或いは処置を行う為には、複数の医療機器を併行して使用する事が必要となる。
【００９７】
　一方、手術室において術者は清潔域で手術を行うが、内視鏡システムを構成する医療機器の多くは清潔域外の不潔域に配設されている為、医療機器の操作は術者の指示により第３者（機器の操作者）が行い、術者が直接手を触れる事はない。また、各医用機器の機能は個々に独立しており、個別の操作、制御が必要となる。よって操作者は術者の要求に答える為に熟練を要求されると共に常に煩雑な作業を必要とされていた。
【００９８】
　この為、特開平６−１１４０６５号公報には、複数の手術装置のシステム化を容易にし、操作性の向上を図る目的で、各医療装置本体に双方向通信可能な通信ポートを備えると共に、認識番号（ＩＤ）を個別に有する複数の手術用機器と、この手術用機器の通信ポートに接続され、この各手術用機器を目的に応じて集中制御可能な制御手段を備えた手術装置制御システムが開示されている。このシステムでは、カートに搭載した集中制御装置や手術用ベッドに取付けられたＤｒ用リモコンで各機器の制御を行っていた。
【００９９】
　また、特開平７−３０３６５４号公報においては、複数の装置を用意に操作、制御し、システムとしての操作性を向上させるため、被制御装置の機能を表示する手段と、被制御装置を操作する手段を設けたシステム制御装置が開示されている。
【０１００】
「発明が解決しようとする課題」
　しかしながら、上記した従来の内視鏡手術システムにおいては、術者が清潔域で使用するカメラヘッドや処置具等には各種伝達用のケーブルが接続されている為、術者の移動範囲等に制約を加えてしまうと共に、使用する機器が増える程、ケーブル等で清潔域が煩雑になってしまうという問題点があった。
【０１０１】
　この問題を解決する為、それぞれの医療機器を無線により接続する事が考えられるが、各機器を特定する為には其々の機器に個別のＩＤを事前に設定しておく必要があり、事前の準備を煩雑なものとする要因となりうる。また、製品自体にＩＤを振り分けておく事も考えられるが、事実上個別ＩＤの割り当ては有限であり、使用者はＩＤが重複しない組み合わせを考慮して使用機器を準備する必要があった。
【０１０２】
　本発明は上記事情に着目してなされたもので、装置間の接続を無線とした上で、ユーザーが特別の配慮を必要としない内視鏡システム装置を提供する事を目的とする。
【０１０３】
Ｃ．上記した第３実施形態から以下のような構成の発明を抽出することが可能である。
【０１０４】
９．体腔内を観察する内視鏡と、この内視鏡による像を撮像してモニタに表示する映像表示装置と、体腔内を処置するための処置具と、患者に刺入され前記処置具を患者体腔内へ挿脱自在にガイドするトロッカーと、前記処置具の動作を操作するための入力スイッチとを具備する内視鏡外科手術システムにおいて、
　前記処置具と前記トロッカーの相互作用を用いて処置具の種類を判別する処置具判別手段と、
　判別された処置具のみを操作可能なように前記入力スイッチの接続を切り替えるスイッチ切換部と
　を有することを特徴とする内視鏡外科手術システム。
【０１０５】
１０．前記処置具判別手段は、処置具に設けられ処置具の種類毎に異なる周波数の信号を発信する信号発信部と、トロッカーに設けられ前記処置具から発信された信号を受信する信号受信部とを有し、前記信号受信部で受信した信号の周波数から該当する処置具を判別することを特徴とする９．に記載の内視鏡外科手術システム。
【０１０６】
１１．前記信号発信部は同一の周波数の信号を処置具毎に異なる発信パターンで発信し、前記信号受信部は処置具毎に異なる発信パターンを受信し、前記処置具判別手段は受信した信号の発信パターンに従って処置具を判別することを特徴とする１０．に記載の内視鏡外科手術システム。
【０１０７】
１２．前記信号発信部は処置具毎に異なる温度を発生する発熱体であり、前記信号受信部は温度を感知する温度感知部であることを特徴とする１１．に記載の内視鏡外科手術システム。
【０１０８】
１３．前記処置具判別手段は、前記トロッカーの前記処置具が挿入される部分に設けられたスイッチ押圧部分と、前記処置具の前記トロッカーに挿入される部分に設けられ前記スイッチ押圧部分により押圧されるスイッチと、前記スイッチが押圧されることで信号を発生する信号発信部とを有し、前記信号発信部からの信号を受けることで該当する処置具を判別することを特徴とする９．に記載の内視鏡外科システム。
【０１０９】
１４．前記処置具判別手段は、前記トロッカーの前記処置具が挿入される部分が反射部材で形成され、前記処置具の前記トロッカーに挿入される部分に設けられ、前記反射部材により反射された光を受けるフォトインタラプタと、前記フォトインタラプタが反射光を受けたことで信号を発生する信号発信部とを有し、前記信号発信部からの信号を受けることで該当する処置具を判別することを特徴とする９．に記載の内視鏡外科システム。
【０１１０】
　上記した発明９〜１４の「従来の技術」、「発明が解決しようとする課題」は以下の通りである。
【０１１１】
「従来の技術」
　近年、開腹等を伴う外科手術に比べて患者の肉体的負担が少ない、いわゆる内視鏡下外科手術が行われるようになってきた。特に腹腔鏡下外科手術は広く行われつつある。この内視鏡下外科手術においては、内視鏡により得られる観察術野をＴＶモニタに映し出し、このＴＶモニタの画面の術野を見ながら処置具を操作して、患者体腔内の処置が行われる。
【０１１２】
　しかし、処置具には例えば、高周波焼灼装置や医用レーザー装置等の複数の種類があるので、操作スイッチの数やスイッチと装置を接続するケーブルの数も処置具の数だけ必要となり、操作が煩雑になるばかりか、数多くのケーブルが必要となるので手術前後のセットアップ、片付けに長時間を要するという欠点があった。また、手術室の床を多くのケーブルが這うため、手術中の術者、看護婦や装置の移動は大変困難なものとなっている。
【０１１３】
　そこで、特開平１１−３３２８８３号公報では、操作したい処置具の名称を術者が発声すると、各種の処置具の内、術者が発声した処置具のみを操作可能なように接続されている唯一の操作用のスイッチが、発声された名称の処置具へ割り当てられ、複数のスイッチの中から必要なスイッチを選択する煩雑さを解消するとともにケーブル数を減少させることが開示されている。
【０１１４】
　また、特開平９−２８７１３号公報では、体腔内で使用する処置具先端にマーカーを設け、内視鏡に取付けたＴＶカメラにより前記マーカーを撮像し判別することで必要な操作入力を実施することで、操作入力のためのスイッチと、操作される装置との間のケーブルを不要にすることが開示されている。
【０１１５】
「発明が解決しようとする課題」
　しかしながら、特開平１１−３３２８８３号公報に開示されているような、術者の発声により処置具を選択する音声入力手段によるスイッチ機能の割当ては、術者が処置具の名称を発声し終わってから実施されるため、素早い処置具の操作ができない。また手術室には他の装置の音や助手、看護婦の話し声等があるので音声による入力が確実に実施されない場合があり、手術時間の延長や術者へのストレス増加という問題が生じてしまう。
【０１１６】
　また、術者の音声を音声認識装置に伝達するためのケーブルが新たに必要となるとともに、術前には術者がマイクを装着する手間が必要な上、装着したマイクのケーブルが煩わしいという問題がある。
【０１１７】
　また、特開平９−２８７１３号公報に開示されているように、処置具先端に設けたマーカーを撮像することで操作入力をするためには、処置具先端のマーカーが常にＴＶカメラに撮像されている状態でなければ、操作入力が実施できないばかりか、マーカーが患者体腔内の組織等で遮られたり、汚れた状態にある場合はマーカーを確実に撮像できるように処置具先端を操作したり、洗滌する必要があるので手術時間の延長や術者へのストレス増加という問題が生じてしまう。
【０１１８】
　本発明は、上述した点に鑑みてなされたもので、処置具の種類が増加した場合でもその操作入力スイッチ用のケーブルを増加させず、しかも体腔内の処置具の状態に左右されずに操作入力を素早く実施できる手術システムを提供することを目的とする。
【０１１９】
Ｄ．上記した第４実施形態から以下のような構成の発明を抽出することが可能である。
【０１２０】
１５．複数の周辺機器と、該複数の周辺機器を光通信により制御可能な集中制御部とから構成されるワイヤレス制御システムであって、
　前記集中制御部は、光通信により送信してきた複数の周辺機器に対してＩＤ番号を光通信で返信することでネットワークへの接続を許可する手段と、
　許可された周辺機器が該周辺機器自身の制御プログラムを送信してきた後に、自身のユーザーＩ／Ｆにシステムの状態を反映する手段と、
　ＩＤ番号を割り振った周辺機器に対して上記制御プログラムを使用して集中管理を行う制御手段と、
　を具備することを特徴とするワイヤレス制御システム。
【０１２１】
　上記した発明１５の「従来の技術」、「発明が解決しようとする課題」は以下の通りである。
【０１２２】
「従来の技術」
　図１２は従来の内視鏡システムの構成を示すブロック図であり、集中制御部４００には光源４０１、内視鏡４０２、記録部４０３、電気メス４０４などが有線により接続されている。
【０１２３】
　図１３に示すように、図１２に示す集中制御部４００には、各部を制御するための各種のプログラム４１０（光源４１１、内視鏡４１２、電気メス４１３、記録装置用４１４、気腹器４１５、装置Ａ４１６を含む）が予め格納されている。集中制御部４００には現在は接続されていない機器のプログラムも準備されている。
【０１２４】
　このように、内視鏡４０２や、光源４０１、電気メス４０４等、複数の機器を操作する場合、その操作方法が機器によってバラバラなので煩雑になり設定に時間が浪費される。近年それらの機器も制御を集中的に行うべく、関連する複数の機器でネットワークを構築し、その中心に位置する集中制御部によって各機器を一括制御するシステムが知られている。
【０１２５】
　また、それらのケーブル等の煩雑さを解消するべく光通信を使用したシステムも近年開発されている。
【０１２６】
「発明が解決しようとする課題」
　１：システム内に新たな機器をする時や、システム内から特定の機器を削除する時などシステムを一時ダウンしなければならなくなる。
【０１２７】
　２：また、光通信でシステムを構築した場合、人が前を通る等のちょっとした光の遮断でシステムがその機器を削除してしまう等、異常な動作をしてしまう。
【０１２８】
　３：集中制御部は接続される可能性のある全ての制御プログラムを集中制御部内に持たせる必要がありその結果
　　Ａ：新規機器の追加の場合のソフトのアップグレードが煩雑になる。
【０１２９】
　　Ｂ：内部のソフトウェアのボリュームが増大になる為のコスト大となる。
【０１３０】
　本発明は上記事情に着目してなされたもので、システム内に新たな機器をする時や、システム内から特定の機器を削除する時などにおいてもシステムを一時ダウンする必要がなく、また、光通信でシステムを構築した場合においてちょっとした光の遮断によりシステムがその機器を削除してしまう等、異常な動作を起こすのを防止でき、さらには接続される可能性のある全ての制御プログラムを集中制御部内に持つ必要性がなくなるワイヤレス制御システムを提供することにある。
【図面の簡単な説明】
【０１３１】
【図１】本発明が適用される内視鏡下外科手術装置の全体構成を示す図である。
【図２】図１で説明した手術装置を複数設置してコントローラと通信を行いながら手術を行う第１実施形態に係る手術システムの概念図である。
【図３】各手術装置１０２−Ｎの内部の構成を示す図である。
【図４】手術装置制御システムの作用を説明するためのフローチャートである。
【図５】本発明の第１実施形態を内視鏡下で外科手術を行うための内視鏡下外科手術システムに適用したときの全体的な概略構成を示す図である。
【図６】本発明の第２実施形態に係る内視鏡外科手術システムの構成を示す図である。
【図７】患者体腔内に挿入されている手術器具の状態を示す図である。
【図８】各装置の接続のようすを示す図である。
【図９】本発明の第２実施形態の変形例を説明するための構成図である。
【図１０】図９に示す処置具を拡大して示す図である。
【図１１】変形例における接続のようすを示す図である。
【図１２】本発明の第３実施形態の説明に用いられる従来の内視鏡システムの構成を示す図である。
【図１３】図１２に示す集中制御部に格納されているプログラムを示す図である。
【図１４】本発明の第３実施形態に係る内視鏡システムの構成を示す図である。
【図１５】図１４に示す集中制御部に格納されているプログラムを示す図である。
【符号の説明】
【０１３２】
１…患者、２…腹腔内、３…スコープ、４…カメラヘッド、５…処置具、６…画像処理装置、８…処置具情報読み取り装置、９…発振器、１０…ケーブル、１１…ケーブル、１２…ライトケーブル、１３…ケーブル、１４…ケーブル、１７…挿入部、１８…バーコードラベル、２０…自動判別スイッチ
【図１】
2004113805.tif 000003
【図２】
2004113805.tif 000004
【図３】
2004113805.tif 000005
【図４】
2004113805.tif 000006
【図５】
2004113805.tif 000007
【図６】
2004113805.tif 000008
【図７】
2004113805.tif 000009
【図８】
2004113805.tif 000010
【図９】
2004113805.tif 000011
【図１０】
2004113805.tif 000012
【図１１】
2004113805.tif 000013
【図１２】
2004113805.tif 000014
【図１３】
2004113805.tif 000015
【図１４】
2004113805.tif 000016
【図１５】
2004113805.tif 000017